(57)【要約】【課題】  外構土間コンクリートの形成に用いられる型枠であって、任意の曲率の曲線形状を極めて簡単に、しかも、きれいな仕上がりで形成することができ、汎用性に優れた外構土間コンクリート用型枠１を提供する。【解決手段】  外構土間コンクリート用型枠１は、可撓性を有し、打設されたコンクリートを堰き止める矩形平板状の複数の堰板２と、上端に前記堰板２の上端面２ｃに固定されるフランジ部３２を有し、当該堰板２のコンクリート打設面２ａと反対側の側面２ｂに取付けられる丸パイプ３と、該丸パイプ３に挿通して、その下端が地面に打ち込まれる鉄筋４と、前記堰板２同士を互いに連結する連結具５，６，７と、を備える外構土間コンクリート用型枠１であって、予め設計された土間コンクリートの平面形状に応じて前記堰板２を湾曲させた状態で、前記丸パイプ３と前記鉄筋４とにより当該堰板２を地面Ｇに固定する。【選択図】図１
2011089253.tif 000002
【特許請求の範囲】
【請求項１】
可撓性を有し、打設されたコンクリートを堰き止める矩形平板状の複数の堰板と、
上端に前記堰板の上端面に固定されるフランジ部を有し、当該堰板のコンクリート打設面と反対側の側面に取付けられる丸パイプと、
該丸パイプに挿通して、その下端が地面に打ち込まれる鉄筋と、
前記堰板同士を互いに連結する連結具と、を備える外構土間コンクリート用型枠であって、
予め設計された土間コンクリートの平面視の周縁形状に応じて前記堰板を湾曲させた状態で、前記丸パイプと前記鉄筋とにより当該堰板を地面に固定することを特徴とする外構土間コンクリート用型枠。
【請求項２】
前記連結具は、
前記堰板のコンクリート打設面と反対側の側面に固定される直線側面部と、該直線側面部から屈曲して前記堰板の上端面に固定される上面部と、を備え、互いに直線状に突合わせた２枚の堰板の端部を連結する直線連結具と、
端部を互いに略直角に当接させた２枚の堰板に沿うように、略直角に屈曲して形成され、当該２枚の堰板のコンクリート打設面と反対側の側面に固定される屈曲側面部と、該屈曲側面部の上端に形成されて前記堰板の上端面に固定されるＬ字上面部と、を備え、当該２枚の堰板同士を連結するコーナー連結具と、
前記堰板のコンクリート打設面と反対側の側面に固定される側面部と、該側面部から屈曲して前記堰板の上端面に固定されるとともにその中央が突出して形成されるＴ字上面部と、を備え、前記堰板の中間部からコンクリート打設方向に突出させた別の堰板を連結するＴ字連結具と、
のいずれか１又は複数であることを特徴とする請求項１に記載の外構土間コンクリート用型枠。
【請求項３】
可撓性を有し、打設されたコンクリートを堰き止める矩形平板状の堰板の上端面に、所定間隔で丸パイプの上端に形成されたフランジ部を固定させ、当該丸パイプを前記堰板の側面に取り付ける丸パイプ取付工程と、
予め設計された土間コンクリートの平面視の周縁形状に応じて前記堰板を湾曲させて配置し、前記堰板の側面に当接された前記丸パイプの中に鉄筋を挿通し、当該鉄筋の下端を地面に打ち込む鉄筋打込工程と、
配置された各堰板同士を連結具により相互に連結する堰板連結工程と、
前記丸パイプ連結工程、鉄筋打込工程、及び堰板連結工程により形成された外構土間コンクリート用型枠内にコンクリートを打設養生する打設養生工程と、を備えることを特徴とする外構土間コンクリートの施工方法。
【発明の詳細な説明】
【技術分野】
【０００１】
この発明は、外構土間コンクリート用型枠、及び外構土間コンクリートの施工方法に関し、特に、その平面視の周縁形状に湾曲部を有する外構土間コンクリート用型枠、及び外構土間コンクリートの施工方法に関する。
【背景技術】
【０００２】
住宅などの建築物の外構にはアプローチや車庫などに平面的にコンクリートを打設する土間コンクリートを用いる場合がある。そして、このような外構土間コンクリートにおいて、主にデザイン上の理由から打設される土間コンクリートの平面視の周縁形状に湾曲部を設ける場合も多い。
【０００３】
このような湾曲部を設ける場合には、当初より目的に合わせて曲率に湾曲させた木合板を型枠として利用していた。しかし、このような木合板は、曲率を変化させることができないため汎用性がなく、作業効率が悪かった。そこで、曲率を自在に変化させることができる曲線自在型枠が種々提案されている。
【０００４】
例えば、特許文献１に記載の曲線自在型枠は、熱可塑性樹脂シート又は熱硬化性樹脂シートから成る矩形平板状の堰板を備えており、堰板の裏面側には、複数本の枠材及び桟木が所定の間隔で固定されている。これらの堰板を横方向に繋いでいくことにより、連続した堰板が形成される。一方、目的の曲線の曲率に合うように曲げ加工した支保工パイプを予め用意しておき、そして、支保工パイプに沿って堰板を曲げていき、型枠緊結金具等を使って支保工パイプに堰板を固定していく。
【０００５】
また、例えば特許文献２に記載の曲線自在型枠は、可撓性を有しておりかつ打設されたコンクリートを堰き止める堰板部と、この堰板部の上縁側から当該堰板部と交差する方向へ延出されたフランジ部とを含んで構成された曲線自在型枠であって、フランジ部には複数の切欠部が形成されており、当該切欠部が形成されたことにより堰板部を平面視で曲線状に変形可能に形成したものが提案されている。そして、所定の曲線形状に形成された曲線自在型枠用定規にこの曲線自在型枠を固定して所定の曲線形状を再現する。
【０００６】
このように、特許文献１及び特許文献２に記載の曲線自在型枠は、一種類の堰板で曲線の曲率に応じた型枠を組むことができ、汎用性に優れている。
【先行技術文献】
【特許文献】
【０００７】
【特許文献１】特開平０９−３１０４８８号公報
【特許文献２】特開２００６−３４８６５９号公報
【発明の概要】
【発明が解決しようとする課題】
【０００８】
しかし、上述の曲線自在型枠は、堰板には汎用性があるものの、所定の曲線の曲率に合うように曲げ加工した支保工パイプ、又は、所定の曲線形状に形成された曲線自在型枠用定規が必要であり、これら支保工パイプ又は曲線自在型枠用定規には汎用性はなく、所望の曲率の支保工パイプ、又は、曲線自在型枠用定規をその都度用意する必要があり不便である。
【０００９】
そこで、本発明は、外構土間コンクリートの形成に用いられる型枠であって、任意の曲率の曲線形状を極めて簡単に、しかも、きれいな仕上がりで形成することができ、汎用性に優れた外構土間コンクリート用型枠及び外構土間コンクリート施工方法を提供することを目的とする。
【課題を解決するための手段】
【００１０】
請求項１に記載の外構土間コンクリート用型枠は、可撓性を有し、打設されたコンクリートを堰き止める矩形平板状の複数の堰板と、上端に前記堰板の上端面に固定されるフランジ部を有し、当該堰板のコンクリート打設面と反対側の側面に取付けられる丸パイプと、該丸パイプに挿通して、その下端が地面に打ち込まれる鉄筋と、前記堰板同士を互いに連結する連結具と、を備える外構土間コンクリート用型枠であって、予め設計された土間コンクリートの平面視の周縁形状に応じて前記堰板を湾曲させた状態で、前記丸パイプと前記鉄筋とにより当該堰板を地面に固定することを特徴としている。
【００１１】
請求項２に記載の外構土間コンクリート用型枠は、前記連結具は、前記堰板のコンクリート打設面と反対側の側面に固定される直線側面部と、該直線側面部から屈曲して前記堰板の上端面に固定される上面部と、を備え、互いに直線状に突合わせた２枚の堰板の端部を連結する直線連結具と、端部を互いに略直角に当接させた２枚の堰板に沿うように、略直角に屈曲して形成され、当該２枚の堰板のコンクリート打設面と反対側の側面に固定される屈曲側面部と、該屈曲側面部の上端に形成されて前記堰板の上端面に固定されるＬ字上面部と、を備え、当該２枚の堰板同士を連結するコーナー連結具と、前記堰板のコンクリート打設面と反対側の側面に固定される側面部と、該側面部から屈曲して前記堰板の上端面に固定されるとともにその中央が突出して形成されるＴ字上面部と、を備え、前記堰板の中間部からコンクリート打設方向に突出させた別の堰板を連結するＴ字連結具と、のいずれか１又は複数であるを特徴としている。
【００１２】
請求項３に記載の外構土間コンクリート施工方法は、可撓性を有し、打設されたコンクリートを堰き止める矩形平板状の堰板の上端面に、所定間隔で丸パイプの上端に形成されたフランジ部を固定させ、当該丸パイプを前記堰板の側面に取り付ける丸パイプ取付工程と、予め設計された土間コンクリートの平面視の周縁形状に応じて前記堰板を湾曲させて配置し、前記堰板の側面に当接された前記丸パイプの中に鉄筋を挿通し、当該鉄筋の下端を地面に打ち込む鉄筋打込工程と、配置された各堰板同士を連結具により相互に連結する堰板連結工程と、前記丸パイプ連結工程、鉄筋打込工程、及び堰板連結工程により形成された外構土間コンクリート用型枠内にコンクリートを打設養生する打設養生工程と、を備えることを特徴としている。
【発明の効果】
【００１３】
請求項１に記載の外構土間コンクリート用型枠によると、堰板のコンクリート打設面と反対側の側面に丸パイプが取り付けられ、この丸パイプに挿通する鉄筋の下端が地面に打ち込まれることにより、堰板が地面に固定される。堰板は可撓性を有するので、この堰板を予め設計された土間コンクリートの平面視の周縁形状に応じて湾曲させた状態で、丸パイプと鉄筋とにより堰板を地面に固定することで、目的の曲率に湾曲された堰板とすることができ、複数の堰板を連結具により連結させることで、自由な曲率の湾曲部を有する外構土間コンクリート用型枠を形成することができる。
【００１４】
請求項２に記載の外構土間コンクリート用型枠によると、連結具が、直線状に突合わせた２枚の堰板の端部を連結する直線連結具と、端部を互いに略直角に当接させた２枚の堰板を連結するコーナー連結具と、堰板の中間部からコンクリート打設方向に突出させた別の堰板を接続するＴ字連結具と、から選択することができるので、各堰板を適切に接続することができる。
【００１５】
請求項３に記載の外構土間コンクリートの施工方法によると、堰板の側面に丸パイプを取り付ける丸パイプ取付工程と、予め設計された土間コンクリートの平面視の周縁形状に応じて堰板を湾曲させて配置して丸パイプの中に鉄筋を挿通し、この鉄筋の下端を地面に打ち込む鉄筋打込工程と、配置された各堰板同士を連結具により相互に連結する堰板連結工程と、これらの３工程により形成された外構土間コンクリート用型枠内にコンクリートを打設養生する打設養生工程と、を備えるので、極めて簡単に目的の曲率に形成された外構土間コンクリートを形成することができる。
【図面の簡単な説明】
【００１６】
【図１】外構土間コンクリート用型枠の構成を説明する簡略平面図。
【図２】堰板の構成を説明する一部省略斜視図。
【図３】（ａ）は、丸パイプの形状を説明する斜視図、（ｂ）は、丸パイプに挿通される鉄筋を示す斜視図。
【図４】（ａ）は、堰板に丸パイプを取り付ける丸パイプ取付工程を説明する斜視図、（ｂ）は、丸パイプに挿通させた鉄筋を地面に打ち込む鉄筋打込工程を説明する斜視図。
【図５】外構土間コンクリートが平面視で膨らむように堰板を湾曲させた状態を示す斜視図。
【図６】外構土間コンクリートが平面視で窪むように堰板を湾曲させた状態を示す斜視図。
【図７】直線連結具の構成を示す斜視図。
【図８】直線連結具を用いて堰板同士を直線状に連結させた状態を説明する斜視図。
【図９】コーナー連結具の構成を示す斜視図。
【図１０】コーナー連結具を用いて堰板の端部が相互に略直角に連結された状態を説明する斜視図。
【図１１】Ｔ字連結具の構成を示す斜視図。
【図１２】Ｔ字連結具を用いて一方の堰板の中間部に他方の堰板を略直角に連結した状態を説明する斜視図。
【発明を実施するための形態】
【００１７】
以下、外構土間コンクリート用型枠１及び外構土間コンクリートの施工方法の最良の実施形態について、各図を参照しつつ説明する。外構土間コンクリート用型枠１は、図１に示すように、土間コンクリートを形成する型枠であって、コンクリートを堰き止める複数の堰板２と、この堰板２の側面に取り付けられる丸パイプ３と、この丸パイプ３に挿通して、地面Ｇに打ち込まれれる鉄筋４と、各堰板２を相互に連結する３種類の連結具５，６，７とにより構成されている。
【００１８】
そして、この外構土間コンクリートの施工方法は、上述の外構土間コンクリート用型枠１を用いるものであり、堰板２に丸パイプ３を取り付ける丸パイプ取付工程と、丸パイプ３の中に鉄筋４を挿通し、当該鉄筋４の下端を地面Ｇに打ち込む鉄筋打込工程と、各堰板２同士を連結具５，６，７により相互に連結する堰板連結工程と、外構土間コンクリート用型枠１内にコンクリートを打設養生する打設養生工程と、を備えるものである。
【００１９】
堰板２は、図２に示すように、例えばポリエチレン及びポリプロピレンの混合樹脂により形成されており、その表面がポリエチレン皮膜されており、可撓性を有する。そして、この堰板２の形状は、例えば長さ３０００ミリメートル（Ａ）、高さ１１８ミリメートル（Ｂ）、幅が２０ミリメートル（Ｃ）の矩形平板状に形成されている。なお、堰板２の形状はこれに限定されるものではなく、例えば長さ５０００ミリメートルなどの複数の異なる長さの堰板２を用いることもできる。また、堰板２の材質はこれに限定されるものではなく、コンクリートを堰き止める機能及び所定の範囲の曲率で湾曲する可撓性を有するものであればその他の樹脂や金属、木材などで形成されるものであっても良い。
【００２０】
丸パイプ３は、図３（ａ）に示すように、中央に鉄筋４を挿通できる孔３１ａを有する高さ８０ミリメートル程度の円筒状の丸パイプ本体３１と、丸パイプ本体３１の上端に溶接される各辺が５０ミリメートル程度の正方形に形成された鋼板のフランジ部３２とを具備している。フランジ部３２はその中央に丸パイプ本体３１の孔３１ａに連通する貫通孔３２ａを有しており、この貫通孔３２ａから距離を開けて各辺方向４箇所に固定用孔３２ｂ，３２ｃ，３２ｄ，３２ｅが形成されている。なお、丸パイプ本体３１は例えば鋼管、樹脂管、又は木製管などのいずれで形成されるものであっても良い。また、鉄筋４は、図３（ｂ）に示すように丸パイプ３に挿通される直径に形成された円柱状の鋼材である。
【００２１】
丸パイプ３は、図４に示すように、丸パイプ本体３１を堰板２のコンクリート打設面２ａと反対側の側面２ｂに当接させた状態で、堰板２の上端面２ｃに丸パイプ３のフランジ部３２を当接させて、フランジ部３２の固定用孔３２ｂ，３２ｃ，３２ｄ，３２ｅと堰板２とをビス８により固定する。なお、ここでコンクリート打設面２ａとは、外構土間コンクリートのコンクリートを打設する際に、当該コンクリートを堰き止める堰板２のコンクリートと接する面のことをいう。そして、図１、図５又は図６に示すように、予め設計された外構土間コンクリートの周縁の曲率に応じて堰板２を湾曲させつつ、丸パイプ本体３１の孔３１ａに鉄筋４を挿通し、この鉄筋４の下端を地面Ｇに打ち込んで、堰板２を固定する。なお、この丸パイプ３は、図１に示すように、１つの堰板２に対して複数取り付けられるものであり、例えば５００ミリ間隔で取り付けられる。
【００２２】
各堰板２を相互に連結する連結具５，６，７は、直線連結具５、コーナー連結具６、及びＴ字連結具７が、それぞれ連結する堰板２の位置関係に応じて用いられている。直線連結具５は、図７に示すように、鋼板の上端を略直角に屈曲させて形成した逆Ｌ字状の金属部材であって、堰板２のコンクリート打設面２ａと反対側の側面２ｂに固定される直線側面部５１と、堰板２の状面に固定される上面部５２と、により構成されている。そして、直線側面部５１及び上面部５２にはそれぞれビス固定用の孔部５３が２箇所づつ設けられており、図８に示すように、互いに直線状に突き合せた２枚の堰板２とそれぞれの孔部５３とをビス８により固定することで、２枚の堰板２同士を連結する。
【００２３】
コーナー連結具６は、図９に示すように、略直角に屈曲して形成される屈曲側面部６１と、この屈曲側面部６１の上端に沿ってＬ字状に形成されるＬ字上面部６２とにより構成される金属部材である。そして、２枚の堰板２の端部を略直角に当接させた状態で、図１０に示すように、この２枚の堰板２により形成されたコーナー部を覆うように、屈曲側面部６１を２枚の堰板２のコンクリート打設面２ａと反対側の側面２ｂに当接させつつ、Ｌ字上面部６２を２枚の堰板２の上端面２ｃに当接させる。屈曲側面部６１及びＬ字上面部６２にはそれぞれ、２枚の堰板２のそれぞれに対応する位置に２箇所づつビス固定用の孔部６３が形成されている。そして、この孔部６３にビス８を打ち込んで、２枚の堰板２を連結する。
【００２４】
Ｔ字連結具７は、図１１に示すように、平板状に形成された側面部７１と、この側面部７１の上端から屈曲して形成される基端部７２ａ及び基端部７２ａの中央が更に突出して形成された突出部７２ｂによりＴ字状に形成されてなるＴ字上面部７２と、から形成されている。そして、側面部７１及びＴ字上面部７２の基端部７２ａには、それぞれ２箇所のビス固定用の孔部７３が形成されており、またＴ字上面部７２の突出部７２ｂには、その先端近傍に１箇所のビス固定用の孔部７３が設けられている。
【００２５】
そして、図１２に示すように、一方の堰板２の中間部に他方の堰板２の端部を略直角に当接させて堰板２同士をＴ字状に配置した状態で、一方の堰板２のコンクリート打設面２ａと反対側の側面２ｂにＴ字連結具７の側面部７１を配置するとともに、一方の堰板２の上面にＴ字上面部７２の基端部７２ａを配置し、他方の堰板２の上面にＴ字上面部７２の突出部７２ｂを配置する。その後、各孔部７３をそれぞれビス固定して各堰板２を連結する。なお、このようなＴ字連結具７を用いることにより、必要に応じて外構土間コンクリートの中間位置にコンクリートを打設しない隙間部分を形成することができ、この隙間部分に土や玉砂利を埋めて外構土間コンクリートの意匠性を高めつつ、コンクリートクラックなどを防止することができる。
【００２６】
以上のように外構土間コンクリート用型枠１はその堰板２が可撓性を有しており、堰板２のコンクリート打設面２ａと反対側の側面２ｂに取り付けられる丸パイプ３と、この丸パイプ３に相通される鉄筋４とにより堰板２が地面Ｇに固定されるものであるので、堰板２を予め設計された任意の曲率に湾曲させて地面Ｇに固定させることができ、複数の堰板２を連結具５，６，７により連結させることで、自由な曲率の湾曲部を有する外構土間コンクリート用型枠１を形成することができる。また、堰板２同士の連結に用いる連結具５，６，７は、上述の通り、直線状に突合わせた２枚の堰板２の端部を連結する直線連結具５と、端部を互いに略直角に当接させた２枚の堰板２を連結するコーナー連結具６と、堰板２の中間部からコンクリート打設方向に突出させた別の堰板２を接続するＴ字連結具７と、を有するので、堰板２同士を適切に連結することができ、適切な外構土間コンクリート用型枠１を形成することができる。
【００２７】
外構土間コンクリートの施工方法は、上述のように、まず、丸パイプ本体３１を堰板２のコンクリート打設面２ａと反対側の側面２ｂに当接させた状態で、堰板２の上端面２ｃに丸パイプ３のフランジ部３２を当接させて、フランジ部３２の固定用孔３２ｂ，３２ｃ，３２ｄ，３２ｅと堰板２とをビス８により固定する丸パイプ取付工程を行う。次に、予め設計された外構土間コンクリートの周縁の曲率に応じて堰板２を湾曲させつつ、丸パイプ本体３１の孔３１ａに鉄筋４を挿通し、この鉄筋４の下端を地面Ｇに打ち込んで、堰板２を固定する鉄筋打込工程を行う。そして、この丸パイプ取付工程及び鉄筋打込工程と並行して、直線連結具５、コーナー連結具６、及び／又は、Ｔ字連結具７を用いて堰板２同士を連結する堰板連結工程を行う。この堰板連結工程と、丸パイプ取付工程及び鉄筋打込工程と、の施工順序は、設計された外構土間コンクリートの形状に応じて、施工がし易い順序を任意に選択することができる。そして、次に、以上の工程を経て、形成された外構土間コンクリート型枠内にコンクリートを打設養生する打設養生工程を行う。そして、外構土間コンクリートが形成されると、外構土間コンクリート用型枠１を外構土間コンクリートから取り外し、さらに、必要な箇所に土や芝などを埋め戻し、建築物の外構をを完成させる。
【００２８】
以上のように、本実施形態の外構土間コンクリート用型枠１によると、極めて簡単な工程で目的の曲率に形成された外構土間コンクリートを形成することができる。
【００２９】
なお、本発明の実施の形態は上述の形態に限ることなく、本発明の思想の範囲を逸脱しない範囲で適宜変更することができることは云うまでもない。
【産業上の利用可能性】
【００３０】
本発明に係る外構土間コンクリート用型枠１及び外構土間コンクリートの施工方法は、例えば住宅の外構土間コンクリートを施工する際の型枠及び施工方法として好適に用いることができる。
【符号の説明】
【００３１】
１      外構土間コンクリート用型枠
２      堰板
２ｂ    コンクリート打設面と反対側の側面
２ｃ    上端面
３      丸パイプ
４      鉄筋
５      直線連結具
６      コーナー連結具
７      Ｔ字連結具
５１    直線側面部
５２    上面部
６１    屈曲側面部
６２    Ｌ字上面部
７１    側面部
７２    Ｔ字上面部
【図１】
2011089253.tif 000003
【図２】
2011089253.tif 000004
【図３】
2011089253.tif 000005
【図４】
2011089253.tif 000006
【図５】
2011089253.tif 000007
【図６】
2011089253.tif 000008
【図７】
2011089253.tif 000009
【図８】
2011089253.tif 000010
【図９】
2011089253.tif 000011
【図１０】
2011089253.tif 000012
【図１１】
2011089253.tif 000013
【図１２】
2011089253.tif 000014